【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
１）飽和フルオロカーボン、不飽和フルオロカーボン、クロロフルオロカーボン、ヒドロクロロフルオロカーボン、フルオロエーテル、炭化水素、二酸化炭素、ジメチルエーテル、アンモニアおよびそれらの組み合わせからなる群から選択される冷媒または伝熱流体と、
２）有効量のパーフルオロポリエーテルと
を含むことを特徴とする組成物。
【請求項２】
アルキルベンゼン、ポリオールエステル、ポリアルキレングリコール、ポリビニルエーテル、カーボネート、ポリ−α−オレフィンおよびそれらの組み合わせからなる群から選択される鉱油または合成油である潤滑油をさらに含むことを特徴とする請求項１に記載の組成物。
【請求項３】
前記パーフルオロポリエーテルの末端基の少なくとも１つが、エステル、ヒドロキシル、アミン、アミド、シアノ、カルボン酸およびスルホン酸からなる群から選択される官能基であることを特徴とする請求項１に記載の組成物。
【請求項４】
前記パーフルオロポリエーテルの末端基の少なくとも１つがカルボン酸であることを特徴とする請求項３に記載の組成物。
【請求項５】
前記パーフルオロポリエーテルの末端基の少なくとも１つがスルホン酸であることを特徴とする請求項３に記載の組成物。
【請求項６】
前記冷媒または伝熱流体が、Ｒ−４０７Ｃ、Ｒ−４２２Ａ、Ｒ−４１７Ａ、Ｒ−４０４Ａ、Ｒ−４１０Ａ、Ｒ−５０７Ａ、Ｒ−５０８ＡおよびＨＦＣ−１３４ａからなる群から選択されることを特徴とする請求項１に記載の組成物。
【請求項７】
前記冷媒または伝熱流体が不飽和フルオロカーボンであることを特徴とする請求項１に記載の組成物。
【請求項８】
前記不飽和フルオロカーボンが、１，２，３，３，３−ペンタフルオロ−１−プロペン、１，１，３，３，３−ペンタフルオロ−１−プロペン、１，１，２，３，３−ペンタフルオロ−１−プロペン、１，２，３，３−テトラフルオロ−１−プロペン、２，３，３，３−テトラフルオロ−１−プロペン、１，３，３，３−テトラフルオロ−１−プロペン、１，１，２，３−テトラフルオロ−１−プロペン、１，１，３，３，−テトラフルオロ−１−プロペン、１，２，３，３−テトラフルオロ−１−プロペン、１，１，１，２，３，４，４，４−オクタフルオロ−２−ブテン、１，１，１，２，４，４，４−ヘプタフルオロ−２−ブテンおよび１，１，１，４，４，４−ヘキサフルオロ−２−ブテンからなる群から選択されることを特徴とする請求項７に記載の組成物。
【請求項９】
（１）鉱油と、
（２）有効量のパーフルオロポリエーテルと
を含むことを特徴とする組成物。
【請求項１０】
冷凍をもたらす方法であって、冷却される物体の近傍で請求項１または２に記載の冷媒組成物または伝熱流体組成物を蒸発させる工程と、その後、前記組成物を凝縮させる工程とを含むことを特徴とする方法。
【請求項１１】
熱をもたらす方法であって、加熱される物体の近傍で請求項１または２に記載の冷媒組成物または伝熱流体組成物を凝縮させる工程と、その後、前記組成物を蒸発させる工程とを含むことを特徴とする方法。
【請求項１２】
熱を伝達する方法であって、熱源から熱シンクに請求項１または２に記載の組成物を伝達する工程を含むことを特徴とする方法。
【請求項１３】
前記組成物が、
ａ）鉱油、
ｂ）パーフルオロエーテル、および
ｃ）Ｒ−４０７Ｃ、Ｒ−４２２Ａ、Ｒ−４１７Ａ、Ｒ−４０４Ａ、Ｒ−４１０Ａ、Ｒ−５０７Ａ、Ｒ−５０８ＡおよびＨＦＣ−１３４ａからなる群から選択される伝熱流体
を含むことを特徴とする請求項１２に記載の方法。
【請求項１４】
パーフルオロポリエーテルを冷凍システムまたは空調システムに添加する工程を含むことを特徴とする方法。
【請求項１５】
前記パーフルオロポリエーテルの末端基の少なくとも１つが、エステル、ヒドロキシル、アミン、アミド、シアノ、カルボン酸およびスルホン酸からなる群から選択される官能基であることを特徴とする請求項１４に記載の方法。
【請求項１６】
冷媒または伝熱流体を取り替える方法であって、
冷凍システムまたは空調システムから既存の冷媒または伝熱流体を除去する工程と、
（ａ）飽和フルオロカーボン、不飽和フルオロカーボン、ヒドロクロロフルオロカーボン、フルオロエーテル、炭化水素、二酸化炭素、ジメチルエーテル、アンモニアおよびそれらの組み合わせからなる群から選択される取替用冷媒または取替用伝熱流体と、
（ｂ）有効量のパーフルオロポリエーテルと
を含む組成物を前記冷凍システムまたは空調システムに導入する工程と
を含むことを特徴とする方法。
【請求項１７】
前記パーフルオロポリエーテルの末端基の少なくとも１つが、エステル、ヒドロキシル、アミン、アミド、シアノ、カルボン酸およびスルホン酸からなる群から選択される官能基であることを特徴とする請求項１６に記載の方法。
【請求項１８】
請求項１または２に記載の組成物を用いる冷凍装置。
【請求項１９】
請求項１または２に記載の組成物を用いる空調装置。
【請求項２０】
請求項２に記載の組成物を用いる内部強化された伝熱面を有するヒートポンプ装置。
【手続補正２】
【補正対象書類名】明細書
【補正対象項目名】００６３
【補正方法】変更
【補正の内容】
【００６３】
本発明の多くの特徴および利点は上の詳細な説明から明らかであり、従って、添付した特許請求の範囲が本発明の趣旨および範囲内に入るこうしたすべての特徴および利点を包含することが意図されている。簡単に言うと、前述した説明は本発明の例示であり、本発明に限定を示唆することを意図していない。例えば、数値範囲が上で記載されている場合、約１〜約１０の範囲が数値２、３、４、５、６、７、８および９も含むように、その範囲が上限と下限との間のすべての数値を含み、そして上限と下限との間のすべての数値を本明細書で明示的に開示していることを意図している。多くの修正および変形は当業者に容易に想到されるであろう。そして、上で記載された厳密な組成、方法および用途に本発明を限定することは望ましくない。従って、適するすべての修正および等価物は、特許請求の範囲に記載された本発明の範囲に対して適用可能であり、そして本発明の範囲内に入る。
なお、本発明は、特許請求の範囲を含め、以下の発明を包含する。
１．１）飽和フルオロカーボン、不飽和フルオロカーボン、クロロフルオロカーボン、ヒドロクロロフルオロカーボン、フルオロエーテル、炭化水素、二酸化炭素、ジメチルエーテル、アンモニアおよびそれらの組み合わせからなる群から選択される冷媒または伝熱流体と、
２）パーフルオロポリエーテルと
を含むことを特徴とする組成物。
２.アルキルベンゼン、ポリオールエステル、ポリアルキレングリコール、ポリビニルエーテル、カーボネート、ポリ−α−オレフィンおよびそれらの組み合わせからなる群から選択される鉱油または合成油である潤滑油をさらに含むことを特徴とする１に記載の組成物。
３.有効量の前記パーフルオロポリエーテルを含有することを特徴とする１に記載の組成物。
４.前記パーフルオロポリエーテルの量が前記冷媒または伝熱流体を基準にして４０重量％未満であることを特徴とする３に記載の組成物。
５.前記パーフルオロポリエーテルの量が前記冷媒または伝熱流体を基準にして１０重量％未満であることを特徴とする３に記載の組成物。
６.前記パーフルオロポリエーテルの量が前記冷媒または伝熱流体を基準にして１重量％未満であることを特徴とする３に記載の組成物。
７.前記パーフルオロポリエーテルの末端基の少なくとも１つが、エステル、ヒドロキシル、アミン、アミド、シアノ、カルボン酸およびスルホン酸からなる群から選択される官能基であることを特徴とする１に記載の組成物。
８.前記パーフルオロポリエーテルの末端基の少なくとも１つがカルボン酸であることを特徴とする７に記載の組成物。
９.前記パーフルオロポリエーテルの末端基の少なくとも１つがスルホン酸であることを特徴とする７に記載の組成物。
１０.前記冷媒または伝熱流体が、Ｒ−４０７Ｃ、Ｒ−４２２Ａ、Ｒ−４１７Ａ、Ｒ−４０４Ａ、Ｒ−４１０Ａ、Ｒ−５０７Ａ、Ｒ−５０８ＡおよびＨＦＣ−１３４ａからなる群から選択されることを特徴とする１に記載の組成物。
１１.前記冷媒または伝熱流体が不飽和フルオロカーボンであることを特徴とする１に記載の組成物。
１２.前記冷媒または伝熱流体が、１，２，３，３，３−ペンタフルオロ−１−プロペン、１，１，３，３，３−ペンタフルオロ−１−プロペン、１，１，２，３，３−ペンタフルオロ−１−プロペン、１，２，３，３−テトラフルオロ−１−プロペン、２，３，３，３−テトラフルオロ−１−プロペン、１，３，３，３−テトラフルオロ−１−プロペン、１，１，２，３−テトラフルオロ−１−プロペン、１，１，３，３−テトラフルオロ−１−プロペン、１，２，３，３−テトラフルオロ−１−プロペン、２，３，３−トリフルオロ−１−プロペン、３，３，３−トリフルオロ−１−プロペン、１，１，２−トリフルオロ−１−プロペン、１，１，３−トリフルオロ−１−プロペン、１，２，３−トリフルオロ−１−プロペン、１，３，３−トリフルオロ−１−プロペン、１，１，１，２，３，４，４，４−オクタフルオロ−２−ブテン、１，１，２，３，３，４，４，４−オクタフルオロ−１−ブテン、１，１，１，２，４，４，４−ヘプタフルオロ−２−ブテン、１，２，３，３，４，４，４−ヘプタフルオロ−１−ブテン、１，１，１，２，３，４，４−ヘプタフルオロ−２−ブテン、１，３，３，３−テトラフルオロ−２−（トリフルオロメチル）−２−プロペン、１，１，３，３，４，４，４−ヘプタフルオロ−１−ブテン、１，１，２，３，４，４，４−ヘプタフルオロ−１−ブテン、１，１，２，３，３，４，４−ヘプタフルオロ−１−ブテン、２，３，３，４，４，４−ヘキサフルオロ−１−ブテン、１，１，１，４，４，４−ヘキサフルオロ−２−ブテン、１，３，３，４，４，４−ヘキサフルオロ−１−ブテン、１，２，３，４，４，４−ヘキサフルオロ−１−ブテン、１，２，３，３，４，４−ヘキサフルオロ−１−ブテン、１，１，２，３，４，４−ヘキサフルオロ−２−ブテン、１，１，１，２，３，４−ヘキサフルオロ−２−ブテン、１，１，１，２，３，３−ヘキサフルオロ−２−ブテン、１，１，１，３，４，４−ヘキサフルオロ−２−ブテン、１，１，２，３，３，４−ヘキサフルオロ−１−ブテン、１，１，２，３，４，４−ヘキサフルオロ−１−ブテン、３，３，３−トリフルオロ−２−（トリフルオロメチル）−１−プロペン、１，１，１，２，４−ペンタフルオロ−２−ブテン、１，１，１，３，４−ペンタフルオロ−２−ブテン、３，３，４，４，４−ペンタフルオロ−１−ブテン、１，１，１，４，４−ペンタフルオロ−２−ブテン、１，１，１，２，３−ペンタフルオロ−２−ブテン、２，３，３，４，４−ペンタフルオロ−１−ブテン、１，１，２，４，４−ペンタフルオロ−２−ブテン、１，１，２，３，３−ペンタフルオロ−１−ブテン、１，１，２，３，４−ペンタフルオロ−２−ブテン、１，２，３，３，４−ペンタフルオロ−１−ブテン、１，１，３，３，３−ペンタフルオロ−２−メチル−１−プロペン、２−（ジフルオロメチル）−３，３，３−トリフルオロ−１−プロペン、３，３，４，４−テトラフルオロ−１−ブテン、１，１，３，３−テトラフルオロ−２−メチル−１−プロペン、１，３，３，３−テトラフルオロ−２−メチル−１−プロペン、２−（ジフルオロメチル）−３，３−ジフルオロ−１−プロペン、１，１，１，２−テトラフルオロ−２��ブテン、１，１，１，３−テトラフルオロ−２−ブテン、１，１，１，２，３，４，４，５，５，５−デカフルオロ−２−ペンテン、１，１，２，３，３，４，４，５，５，５−デカフルオロ−１−ペンテン、１，１，１，４，４，４−ヘキサフルオロ−２−（トリフルオロメチル）−２−ブテン、１，１，１，２，４，４，５，５，５−ノナフルオロ−２−ペンテン、１，１，１，３，４，４，５，５，５−ノナフルオロ−２−ペンテン、１，２，３，３，４，４，５，５，５−ノナフルオロ−１−ペンテン、１，１，３，３，４，４，５，５，５−ノナフルオロ−１−ペンテン、１，１，２，３，３，４，４，５，５−ノナフルオロ−１−ペンテン、１，１，２，３，４，４，５，５，５−ノナフルオロ−２−ペンテン、１，１，１，２，３，４，４，５，５−ノナフルオロ−２−ペンテン、１，１，１，２，３，４，５，５，５−ノナフルオロ−２−ペンテン、１，２，３，４，４，４−ヘキサフルオロ−３−（トリフルオロメチル）−１−ブテン、１，１，２，４，４，４−ヘキサフルオロ−３−（トリフルオロメチル）−１−ブテン、１，１，１，４，４，４−ヘキサフルオロ−３−（トリフルオロメチル）−２−ブテン、１，１，３，４，４，４−ヘキサフルオロ−３−（トリフルオロメチル）−１−ブテン、２，３，３，４，４，５，５，５−オクタフルオロ−１−ペンテン、１，２，３，３，４，４，５，５−オクタフルオロ−１−ペンテン、３，３，４，４，４−ペンタフルオロ−２−（トリフルオロメチル）−１−ブテン、１，１，４，４，４−ペンタフルオロ−３−（トリフルオロメチル）−１−ブテン、１，３，４，４，４−ペンタフルオロ−３−（トリフルオロメチル）−１−ブテン、１，１，４，４，４−ペンタフルオロ−２−（トリフルオロメチル）−１−ブテン、１，１，１，４，４，５，５，５−オクタフルオロ−２−ペンテン、３，４，４，４−テトラフルオロ−３−（トリフルオロメチル）−１−ブテン、３，３，４，４，５，５，５−ヘプタフルオロ−１−ペンテン、２，３，３，４，４，５，５−ヘプタフルオロ−１−ペンテン、１，１，３，３，５，５，５−ヘプタフルオロ−１−ペンテン、１，１，１，２，４，４，４−ヘプタフルオロ−３−メチル−２−ブテン、２，４，４，４−テトラフルオロ−３−（トリフルオロメチル）−１−ブテン、１，４，４，４−テトラフルオロ−３−（トリフルオロメチル）−１−ブテン、１，４，４，４−テトラフルオロ−３−（トリフルオロメチル）−２−ブテン、２，４，４，４−テトラフルオロ−３−（トリフルオロメチル）−２−ブテン、３−（トリフルオロメチル）−４，４，４−トリフルオロ−２−ブテン、３，４，４，５，５，５−ヘキサフルオロ−２−ペンテン、１，１，１，４，４，４−ヘキサフルオロ−２−メチル−２−ブテン、３，３，４，５，５，５−ヘキサフルオロ−１−ペンテン、４，４，４−トリフルオロ−２−（トリフルオロメチル）−１−ブテン、１，１，２，３，３，４，４，５，５，６，６，６−ドデカフルオロ−１−ヘキセン、１，１，１，２，２，３，４，５，５，６，６，６−ドデカフルオロ−３−ヘキセン、１，１，１，４，４，４−ヘキサフルオロ−２，３−ビス（トリフルオロメチル）−��−ブテン、１，１，１，４，４，５，５，５−オクタフルオロ−２−トリフルオロメチル−２−ペンテン、１，１，１，３，４，５，５，５−オクタフルオロ−４−（トリフルオロメチル）−２−ペンテン、１，１，１，４，５，５，５−ヘプタフルオロ−４−（トリフルオロメチル）−２−ペンテン、１，１，１，４，４，５，５，６，６，６−デカフルオロ−２−ヘキセン、１，１，１，２，２，５，５，６，６，６−デカフルオロ−３−ヘキセン、３，３，４，４，５，５，６，６，６−ノナフルオロ−１−ヘキセン、４，４，４−トリフルオロ−３，３−ビス（トリフルオロメチル）−１−ブテン、１，１，１，４，４，４−ヘキサフルオロ−３−メチル−２−（トリフルオロメチル）−２−ブテン、２，３，３，５，５，５−ヘキサフルオロ−４−（トリフルオロメチル）−１−ペンテン、１，１，１，２，４，４，５，５，５−ノナフルオロ−３−メチル−２−ペンテン、１，１，１，５，５，５−ヘキサフルオロ−４−（トリフルオロメチル）−２−ペンテン、３，４，４，５，５，６，６，６−オクタフルオロ−２−ヘキセン、３，３，４，４，５，５，６，６−オクタフルオロ−２−ヘキセン、１，１，１，４，４−ペンタフルオロ−２−（トリフルオロメチル）−２−ペンテン、４，４，５，５，５−ペンタフルオロ−２−（トリフルオロメチル）−１−ペンテン、３，３，４，４，５，５，５−ヘプタフルオロ−２−メチル−１−ペンテン、１，１，１，２，３，４，４，５，５，６，６，７，７，７−テトラデカフルオロ−２−ヘプテン、１，１，１，２，２，３，４，５，５，６，６，７，７，７−テトラデカフルオロ−２−ヘプテン、１，１，１，３，４，４，５，５，６，６，７，７，７−トリデカフルオロ−２−ヘプテン、１，１，１，２，４，４，５，５，６，６，７，７，７−トリデカフルオロ−２−ヘプテン、１，１，１，２，２，４，５，５，６，６，７，７，７−トリデカフルオロ−３−ヘプテン、１，１，１，２，２，３，５，５，６，６，７，７，７−トリデカフルオロ−３−ヘプテン、４，４，５，５，６，６，６−ヘプタフルオロ−２−ヘキセン、４，４，５，５，６，６，６−ヘプタフルオロ−１−ヘキセン、１，１，１，２，２，３，４−ヘプタフルオロ−３−ヘキセン、４，５，５，５−テトラフルオロ−４−（トリフルオロメチル）−１−ペンテン、１，１，１，２，５，５，５−ヘプタフルオロ−４−メチル−２−ペンテン、１，１，１，３−テトラフルオロ−２−（トリフルオロメチル）−２−ペンテン、１，２，３，３，４，４−ヘキサフルオロシクロブテン、３，３，４，４−テトラフルオロシクロブテン、３，３，４，４，５，５−ヘキサフルオロシクロペンテン、１，２，３，３，４，４，５，５−オクタフルオロシクロペンテン、１，２，３，３，４，４，５，５，６，６−デカフルオロシクロヘキセン、１，１，１，２，３，４，５，５，５−ノナフルオロ−４−（トリフルオロメチル）−２−ペンテン、ペンタフルオロエチルトリフルオロビニルエーテル、トリフルオロメチルトリフルオロビニルエーテルからなる群から選択されることを特徴とする１１に記載の組成物。
１３.前記冷媒または伝熱流体が、１，２，３，３，３−ペンタフルオロ−１−プロペン、１，１，３，３，３−ペンタフルオロ−１−プロペン、１，１，２，３，３−ペンタフルオロ−１−プロペン、１，２，３，３−テトラフルオロ−１−プロペン、２，３，３，３−テトラフルオロ−１−プロペン、１，３，３，３−テトラフルオロ−１−プロペン、１，１，２，３−テトラフルオロ−１−プロペン、１，１，３，３，−テトラフルオロ−１−プロペン、１，２，３，３−テトラフルオロ−１−プロペン、１，１，１，２，３，４，４，４−オクタフルオロ−２−ブテン、１，１，１，２，４，４，４−ヘプタフルオロ−２−ブテンおよび１，１，１，４，４，４−ヘキサフルオロ−２−ブテンからなる群から選択されることを特徴とする１２に記載の組成物。
１４.（１）鉱油と、
（２）パーフルオロポリエーテルと
を含むことを特徴とする組成物。
１５.有効量の前記パーフルオロポリエーテルを含有することを特徴とする１４に記載の組成物。
１６.前記パーフルオロポリエーテルの量が前記鉱油を基準にして５０重量％未満であることを特徴とする１５に記載の組成物。
１７.前記パーフルオロポリエーテルの量が前記鉱油を基準にして２０重量％未満であることを特徴とする１５に記載の組成物。
１８.前記パーフルオロポリエーテルの量が前記鉱油を基準にして５重量％未満であることを特徴とする１５に記載の組成物。
１９.飽和フルオロカーボン、不飽和フルオロカーボン、クロロフルオロカーボン、ヒドロクロロフルオロカーボン、フルオロエーテル、炭化水素、二酸化炭素、ジメチルエーテル、アンモニアおよびそれらの組み合わせからなる群から選択される冷媒または伝熱流体を更に含むことを特徴とする１４に記載の組成物。
２０.前記冷媒または伝熱流体が、Ｒ−４０７Ｃ、Ｒ−４２２Ａ、Ｒ−４１７Ａ、Ｒ−４０４Ａ、Ｒ−４１０Ａ、Ｒ−５０７Ａ、Ｒ−５０８ＡおよびＨＦＣ−１３４ａからなる群から選択されることを特徴とする１９に記載の組成物。
２１.前記パーフルオロポリエーテルの末端基の少なくとも１つが、エステル、ヒドロキシル、アミン、アミド、シアノ、カルボン酸およびスルホン酸からなる群から選択される官能基であることを特徴とする１４に記載の組成物。
２２.前記パーフルオロポリエーテルの末端基の少なくとも１つがカルボン酸であることを特徴とする２１に記載の組成物。
２３.前記パーフルオロポリエーテルの末端基の少なくとも１つがスルホン酸であることを特徴とする２１に記載の組成物。
２４.冷凍をもたらす方法であって、冷却される物体の近傍で１、２または１９のいずれかに記載の冷媒組成物または伝熱流体組成物を蒸発させる工程と、その後、前記組成物を凝縮させる工程とを含むことを特徴とする方法。
２５.熱をもたらす方法であって、加熱される物体の近傍で１、２または１９のいずれかに記載の冷媒組成物または伝熱流体組成物を凝縮させる工程と、その後、前記組成物を蒸発させる工程とを含むことを特徴とする方法。
２６.熱を伝達する方法であって、熱源から熱シンクに１、２または１９のいずれかに記載の組成物を伝達する工程を含むことを特徴とする方法。
２７.前記組成物が、
ａ）鉱油、
ｂ）パーフルオロエーテル、および
ｃ）Ｒ−４０７Ｃ、Ｒ−４２２Ａ、Ｒ−４１７Ａ、Ｒ−４０４Ａ、Ｒ−４１０Ａ、Ｒ−５０７Ａ、Ｒ−５０８ＡおよびＨＦＣ−１３４ａからなる群から選択される伝熱流体
を含むことを特徴とする２６に記載の方法。
２８.パーフルオロポリエーテルを冷凍システムまたは空調システムに添加する工程を含むことを特徴とする方法。
２９.前記パーフルオロポリエーテルの末端基の少なくとも１つが、エステル、ヒドロキシル、アミン、アミド、シアノ、カルボン酸およびスルホン酸からなる群から選択される官能基であることを特徴とする２８に記載の方法。
３０.前記パーフルオロポリエーテルの末端基の少なくとも１つがカルボン酸であることを特徴とする２９に記載の方法。
３１.前記パーフルオロポリエーテルの末端基の少なくとも１つがスルホン酸であることを特徴とする２９に記載の方法。
３２.冷媒または伝熱流体を取り替える方法であって、
冷凍システムまたは空調システムから既存の冷媒または伝熱流体を除去する工程と、
（ａ）飽和フルオロカーボン、不飽和フルオロカーボン、ヒドロクロロフルオロカーボン、フルオロエーテル、炭化水素、二酸化炭素、ジメチルエーテル、アンモニアおよびそれらの組み合わせからなる群から選択される取り替え用冷媒または取り替え用伝熱流体と、
（ｂ）有効量のパーフルオロポリエーテルと
を含む組成物を前記冷凍システムまたは空調システムに導入する工程と
を含むことを特徴とする方法。
３３.前記パーフルオロポリエーテルの量が前記取り替え用冷媒または取り替え用伝熱流体を基準にして４０重量％未満であることを特徴とする３２に記載の方法。
３４.前記パーフルオロポリエーテルの量が前記取り替え用冷媒または取り替え用伝熱流体を基準にして１０重量％未満であることを特徴とする３２に記載の方法。
３５.前記パーフルオロポリエーテルの量が前記取り替え用冷媒または取り替え用伝熱流体を基準にして１重量％未満であることを特徴とする３２に記載の方法。
３６.前記パーフルオロポリエーテルの末端基の少なくとも１つが、エステル、ヒドロキシル、アミン、アミド、シアノ、カルボン酸およびスルホン酸からなる群から選択される官能基であることを特徴とする３２に記載の方法。
３７.前記パーフルオロポリエーテルの末端基の少なくとも１つがカルボン酸であることを特徴とする３６に記載の方法。
３８.前記パーフルオロポリエーテルの末端基の少なくとも１つがスルホン酸であることを特徴とする３６に記載の方法。
３９.１、２または１９のいずれかに記載の組成物を用いる冷凍装置。
４０.１、２または１９のいずれかに記載の組成物を用いる空調装置。
４１.１９に記載の組成物を用いる内部強化された伝熱面を有するヒートポンプ装置。